(57)【要約】【課題】現有のビジョンシグナルのフォーマットとレコーディングメディアの記憶フォーマットに該当できると共に、一般のビジョン再生メディアにおいてインターアクトタイプのコントロール反応を生成できるようにする。【解決手段】ビジョンシグナルソースよりビジョンシグナルを読み取るステップａと、前記ビジョンシグナルにおける前記インターアクトコントロールデータを加入する必要がある位置をサーチするステップｂと、前記ビジョンシグナルにおけるイメージディスプレイエリアよりオーバーする前後段ブロックをサーチするステップｃと、前記インターアクトコントロールデータを前記イメージディスプレイエリアよりオーバーする前後段ブロックに加入するステップｄとを有する。【選択図】      図３
2004282423.tif 000002
【特許請求の範囲】
【請求項１】
複数セットのインターアクトコントロールデータをビジョンシグナルに結合するための方法であって、前記複数セットのインターアクトコントロールデータが予めビジョンの内容に従って演繹編成されるものであり、当該方法には：
ビジョンシグナルソースよりビジョンシグナルを読み取るステップａと、
前記ビジョンシグナルにおける前記インターアクトコントロールデータを加入する必要がある位置をサーチするステップｂと、
前記ビジョンシグナルにおけるイメージディスプレイエリアよりオーバーする前後段ブロックをサーチするステップｃと、
前記インターアクトコントロールデータを前記イメージディスプレイエリアよりオーバーする前後段ブロックに加入するステップｄとを少なくとも有することを特徴とするビジョンシグナルにインターアクトコントロールデータを結合する方法。
【請求項２】
前記ステップａにおける前記ビジョンシグナルソースがビジョン再生メディアであることを特徴とする請求項１に記載のビジョンシグナルにインターアクトコントロールデータを結合する方法。
【請求項３】
前記ステップａの後にさらに、
前記ビジョンシグナルがデジタルシグナルであるかを判断するステップと、
否定である場合に前記ビジョンシグナルをデジタル化するステップとを有することを特徴とする請求項１に記載のビジョンシグナルにインターアクトコントロールデータを結合する方法。
【請求項４】
前記ステップｃ及びステップｄにおいて、前記イメージディスプレイエリアがビジョンシグナルにおけるそれぞれのイメージ画面のイメージスキャンフレームであると共に、前段ブロックがそれぞれのイメージスキャンフレームの先方の複数ほんのイメージスキャンコラムであり、且つ前記後段ブロックがそれぞれのイメージスキャンフレームの後方の複数本のイメージスキャンコラムであることを特徴とする請求項１に記載のビジョンシグナルにインターアクトコントロールデータを結合する方法。
【請求項５】
前記ステップｄの後にさらに、
インターアクトコントロールデータを結合したビジョンシグナルをアナログビジョンシグナルに転換し、それからビジョンディスプレイメディアへ送信するステップを有することを特徴とする請求項１に記載のビジョンシグナルにインターアクトコントロールデータを結合する方法。
【請求項６】
前記ステップｄの後にさらに、
前記ビジョンシグナルをイメージコンプレステクニック、例えばＭＰＥＧなどによってコンプレスしてからビジョンレコーディングメディアにレコーディングするステップを有することを特徴とする請求項１に記載のビジョンシグナルにインターアクトコントロールデータを結合する方法。
【請求項７】
複数セットのインターアクトコントロールデータをビジョンシグナルに結合するための装置であって、
ビジョンシグナルソースに接続され、ビジョンシグナルソースより入力されるアナログビジョンシグナルをデジタルシグナルに転換するビジョンシグナルコンバータと、
前記ビジョンシグナルコンバータに接続され、前記デジタルビジョンシグナルを記憶するビジョンシグナルデータベースと、
前記複数セットのインターアクトコントロールデータを記憶し、前記複数セットのインターアクトコントロールデータが予めビジョンの内容に従って演繹編成されるものとなるようにしたインターアクトコントロールデータベースと、
前記ビジョンシグナルデータベースと前記インターアクトコントロールデータベースを接続すると共に、前記デジタルシグナルにおけるインターアクトコントロールデータを加入しようとする位置をサーチし、それからインターアクトコントロールデータをイメージディスプレイエリアよりオーバーする前後段ブロックに加入することによってインターアクトコントロールシグナルをミックスしたビジョンシグナルを生成するビジョンシグナル処理ユニットとを少なくとも有することを特徴とするビジョンシグナルにインターアクトコントロールデータを結合する装置。
【請求項８】
前記ビジョンシグナルソースとしてビジョン再生メディアを採用することを特徴とする請求項７に記載のビジョンシグナルにインターアクトコントロールデータを結合する装置。
【請求項９】
前記ビジョンシグナルソースより入力されるビジョンシグナルがデジタルシグナルである場合、直接的に前記ビジョンシグナルデータベースに送信することを特徴とする請求項７に記載のビジョンシグナルにインターアクトコントロールデータを結合する装置。
【請求項１０】
前記ビジョンシグナル処理ユニットに接続され、前記ビジョンシグナル処理ユニットの処理したインターアクトコントロールデータを有するビジョンシグナルをアナログビジョンシグナルに転換してからビジョンディスプレイ装置に送信するアナログビジョンシグナルコンバータを更に有することを特徴とする請求項７に記載のビジョンシグナルにインターアクトコントロールデータを結合する装置。
【請求項１１】
前記ビジョンシグナル処理ユニットに接続され、前記ビジョンシグナル処理ユニットの処理したインターアクトコントロールデータを有するビジョンシグナルをイメージコンプレステクニック、例えばＭＰＥＧなどによってコンプレスしてからビジョンシグナルレコーディングメディアにレコーディングするビジョンシグナルコンプレスユニットを更に有することを特徴とする請求項７に記載のビジョンシグナルにインターアクトコントロールデータを結合する装置。
【請求項１２】
ビジョンシグナルにおける複数セットのインターアクトコントロールデータをキャッチする方法であって、
ビジョンシグナルソースよりインターアクトコントロールデータを有するビジョンシグナルを読み取るステップａと、
ビジョンシグナルにおけるイメージディスプレイエリアよりオーバーする前後段ブロック内のインターアクトデータの所在する位置を解析するステップｂと、
インターアクトコントロールデータをキャッチするステップｃと、
インターアクトコントロールデータをインターアクト装置に送信することによって対応しあうインターアクト反応を引き起こすステップｄとを少なくとも有することを特徴とするインターアクトコントロールデータを結合するビジョンシグナルよりインターアクトコントロールデータをキャッチする方法。
【請求項１３】
前記ステップにおけるビジョンシグナルソースがビジョン再生メディアであることを特徴とする請求項１２に記載のインターアクトコントロールデータを結合するビジョンシグナルよりインターアクトコントロールデータをキャッチする方法。
【請求項１４】
前記ステップａの後に、さらに、
ビジョンシグナルを直接的にビジョンディスプレイメディアへ送信するステップを有することを特徴とする請求項１２に記載のインターアクトコントロールデータを結合するビジョンシグナルよりインターアクトコントロールデータをキャッチする方法。
【請求項１５】
前記ステップｂにおけるイメージディスプレイエリアがビジョンシグナルのそれぞれのイメージ画面のイメージスキャンフレームであり、前段ブロックがそれぞれのイメージスキャンフレームの先方の複数ほんのイメージスキャンコラムであると共に、後段ブロックがそれぞれのイメージスキャンフレームの後方の複数ほんのイメージスキャンコラムであることを特徴とする請求項１２に記載のインターアクトコントロールデータを結合するビジョンシグナルよりインターアクトコントロールデータをキャッチする方法。
【請求項１６】
前記ステップｃの後に、さらに、
元はシリアルビットストリームとなる前記インターアクトコントロールデータをパラレルデータストリームに転換するステップと、
前記パラレルデータストリームを一時記憶するステップとを有することを特徴とする請求項１２に記載のインターアクトコントロールデータを結合するビジョンシグナルよりインターアクトコントロールデータをキャッチする方法。
【請求項１７】
前記ステップｄの前に、さらに、
前記インターアクトコントロールデータをチェックすると共に、エンコーディングすることによってインターアクトコントロールデータを記憶及び送信時の正確性を確保するステップを有することを特徴とする請求項１２に記載のインターアクトコントロールデータを結合するビジョンシグナルよりインターアクトコントロールデータをキャッチする方法。
【請求項１８】
ビジョンシグナルより複数セットのインターアクトコントロールデータをキャッチする装置であって、
ビジョンシグナルソースに接続され、ビジョンシグナルのインプットの抵抗合わせ手段とするビジョンシグナルバッファーユニットと、
前記ビジョンシグナルバッファーユニットに接続され、ビジョンシグナルにおける複数のイメージ同期シグナルとタイミングシグナルとを解析し出すビジョン同期解析ユニットと、
前記ビジョン同期解析ユニットに接続され、ビジョン同期解析ユニットにおける解析し出した前記イメージ同期シグナルを計算することによって前記インターアクトコントロールデータの所在位置とタイミングを取得し、且つキャッチコントロールシグナルを生成するタイミングキャッチコントロールユニットと、
前記ビジョンシグナルバッファーユニットと前記タイミングキャッチコントロールユニットに接続され、前記キャッチコントロールシグナルに従って前記ビジョンシグナルにおけるインターアクトコントロールデータをキャッチするデータキャッチコントロールユニットとを少なくとも有することを特徴とするインターアクトコントロールデータを結合するビジョンシグナルよりインターアクトコントロールデータをキャッチする装置。
【請求項１９】
前記ビジョンシグナルバッファーユニットに接続されるシグナルソースがビジョン再生メディアであることを特徴とする請求項１８に記載のインターアクトコントロールデータを結合するビジョンシグナルよりインターアクトコントロールデータをキャッチする装置。
【請求項２０】
前記ビジョンシグナルバッファーユニットにビジョンディスプレイメディアが接続され、ビジョンシグナルを直接的にディスプレイすることを特徴とする請求項１８に記載のインターアクトコントロールデータを結合するビジョンシグナルよりインターアクトコントロールデータをキャッチする装置。
【請求項２１】
前記ビジョン同期解析ユニットが解析したイメージ同期シグナルがビジョンシグナルにおけるそれぞれのイメージ画面のイメージスキャンフレーム同期シグナルとそれぞれのイメージスキャンフレームにおけるイメージスキャンコラムの同期シグナルであることを特徴とする請求項１８に記載のインターアクトコントロールデータを結合するビジョンシグナルよりインターアクトコントロールデータをキャッチする装置。
【請求項２２】
前記データキャッチコントロールユニットに接続され、インターアクトコントロールデータを一時記憶するデータバッファーコントロールユニットと、
前記データバッファーコントロールユニットに接続され、インターアクトデータに対しチェック及びエンコーディングし、且つ逐一的にインターアクト装置に送信し、対応しあうインターアクト反応を引き起こすデータ伝送コントロールユニットとをさらに有することを特徴とする請求項１８に記載のインターアクトコントロールデータを結合するビジョンシグナルよりインターアクトコントロールデータをキャッチする装置。
【請求項２３】
前記データキャッチコントロールユニットと前記データバッファーコントロールユニットとの間に接続され、元がシリアルビットストリームである前記インターアクトコントロールデータをパラレルデータストリームに転換することによって前記データバッファーユニットの前記インターアクトコントロールデータを一時記憶することに利するシリアル／パラレルコンバータとをさらに有することを特徴とする請求項２２に記載のインターアクトコントロールデータを結合するビジョンシグナルよりインターアクトコントロールデータをキャッチする装置。
【発明の詳細な説明】
【０００１】
【産業上の利用分野】
本発明は、ビジョンシグナルにインターアクトコントロールデータを結合する装置及び方法に係わり、特にインターアクトコントロールシグナルを一般のビジョンシグナルに隠し、前記ビジョンシグナルを再生する際に同期に前記インターアクトコントロールシグナルを送信することによって他のインターアクト装置をコントロールすることによりその反応を引き起こす方法及び装置に関するものである。
【０００２】
【従来の技術】
さて、コンピュータテクニックが発達している現在では、多くのインターアクトタイプの教育ソフトウェアや遊戯ソフトウェアや娯楽ソフトウェアなどが消費者の歓迎を受けており、しかしながら、それらのソフトウェアがすべてパーソナルコンピュータによってインターアクトの反応を生成する必要があり、ビジョン再生メディア（ケーブルテレビやコードレステレビやビデオ再生装置やイメージ音声光ディスク装置など）についてはインターアクトタイプのコントロール反応を達成しがたい。
【０００３】
目前では、ビジョンシグナルに対しインターアクトコントロールを実行するアプリケーションが多くなく、主な原因はそれが達成しがたいためであり、また、改めて新たなフォーマットを制定する場合、一般のビジョン再生またはディスプレイメディアとの相容れ性が必ず影響を受けるようになってしまい、もし、一般のビジョンシグナルにインターアクトコントロールデータを加えられれば、必ず多くの応用が延伸し出すようになると信じる。例えば、児童教育ビジョンプログラムを放送する場合、テレビ前の玩具にインターアクトを生成させるようにコントロールでき、児童と一緒に学習を進行できる。また、例えば、インターアクトタイプの英語教学番組を制作し、番組において先生が教える場合に、関連するデータが学生の側の学習装置に送信され、学生が学習装置に対し繰り返して返答することを学習でき、もし返答が間違う場合、番組における先生が繰り返してその間違うことに対し指導をし、学生が完全に習得すると、学習装置が番組を制御して次の教学へ進行してゆく。
【０００４】
【発明が解決しようとする課題】
そのため、本発明の発明者は現有のビジョンシグナルのフォーマットとレコーディングメディアの記憶フォーマットに該当できると共に、一般のビジョン再生メディアにおいてインターアクトタイプのコントロール反応を生成できるようにするために、研究開発を進めると共に、学術の運用を合せて極めた結果、とうとう設計が合理的で効果的に前記諸課題を解消できる本発明の“ビジョンシグナルにインターアクトコントロールデータを結合する装置及び方法”を提出するに至った。
【０００５】
【課題を解決するための手段】
本発明の主要な目的はビジョンシグナルにインターアクトコントロールデータを結合する方法を提供することにあり、当該方法による場合、まずビジョンシグナルソースよりビジョンシグナルを読み取り、それから当該ビジョンシグナルにおけるインターアクトコントロールデータを加入しようとする位置をサーチし、即ち、前記ビジョンシグナルにおける一般のイメージディスプレイエリアよりオーバーする前後段ブロックをサーチし、また、当該イメージディスプレイエリアがビジョンシグナルにおけるそれぞれのイメージ画面のイメージスキャンフレームであり、前記前段ブロックがそれぞれのイメージスキャンフレームの前複数本のイメージスキャンコラムであると共に、後段ブロックがそれぞれのイメージスキャンフレームの後複数本のイメージスキャンコラムであり、最後に、前記インターアクトコントロールデータを前記イメージディスプレイエリアよりオーバーする前後段ブロックに加入し、また、インターアクトコントロールデータを結合しているビジョンシグナルをアナログのビジョンシグナルに転換し、且つビジョンディスプレイメディアに送信し、または当該ビジョンシグナルをイメージコンプレステクニック例えばＭＰＥＧなどによってコンプレスしてからビジョンレコーディングメディアにレコーディングする。
【０００６】
本発明の次の目的はビジョンシグナルにインターアクトコントロールデータを結合する装置を提供することにあり、当該装置には、ビジョンシグナルソースに接続され、ビジョンシグナルソースより入力されるアナログビジョンシグナルをデジタルシグナルに転換するビジョンシグナルコンバータと、前記ビジョンシグナルコンバータに接続され、前記デジタルビジョンシグナルを記憶するビジョンシグナルデータベースと、前記複数セットのインターアクトコントロールデータを記憶し、前記複数セットのインターアクトコントロールデータが予めビジョンの内容に従って演繹編成されるものとなるようにしたインターアクトコントロールデータベースと、前記ビジョンシグナルデータベースと前記インターアクトコントロールデータベースを接続すると共に、前記デジタルシグナルにおけるインターアクトコントロールデータを加入しようとする位置をサーチし、それからインターアクトコントロールデータをイメージディスプレイエリアよりオーバーする前後段ブロックに加入することによってインターアクトコントロールシグナルをミックスしたビジョンシグナルを生成するビジョンシグナル処理ユニットと、前記ビジョンシグナル処理ユニットに接続され、前記ビジョンシグナル処理ユニットの処理したインターアクトコントロールデータを有するビジョンシグナルをアナログビジョンシグナルに転換してからビジョンディスプレイ装置に送信するアナログビジョンシグナルコンバータと、前記ビジョンシグナル処理ユニットに接続され、前記ビジョンシグナル処理ユニットの処理したインターアクトコントロールデータを有するビジョンシグナルをイメージコンプレステクニック、例えばＭＰＥＧなどによってコンプレスしてからビジョンシグナルレコーディングメディアにレコーディングするビジョンシグナルコンプレスユニットとを少なくとも有する。
【０００７】
また、本発明の他の目的は、インターアクトコントロールデータを結合するビジョンシグナルよりインターアクトコントロールデータをキャッチする方法を提供することにあり、当該方法による場合、まずビジョンシグナルソースよりインターアクトコントロールデータを有するビジョンシグナルを読み取り、且つ当該ビジョンシグナルを直接的にビジョンディスプレイメディアにディスプレイし、それから当該ビジョンシグナルにおけるイメージディスプレイエリアよりオーバーする前後段ブロック内のインターアクトコントロールデータの所在位置をサーチし、また、当該インターアクトコントロールデータをキャッチし、且つ当該インターアクトコントロールデータを一時記憶し、最後に当該インターアクトコントロールデータに対しチャックとエンコーディングをし、且つ当該インターアクトコントロールデータをインターアクト装置に送信し、それによって対応しあうインターアクト反応を引き起こす。
【０００８】
また、本発明の他の目的は、インターアクトコントロールデータを結合するビジョンシグナルよりインターアクトコントロールデータをキャッチする装置を提供することにあり、当該装置には、ビジョンシグナルソースに接続され、ビジョンシグナルのインプットの抵抗合わせ手段とするビジョンシグナルバッファーユニットと、前記ビジョンシグナルバッファーユニットに接続され、ビジョンシグナルにおける複数のイメージ同期シグナルとタイミングシグナルとを解析し出すビジョン同期解析ユニットと、前記ビジョン同期解析ユニットに接続され、ビジョン同期解析ユニットにおける解析し出した前記イメージ同期シグナルを計算することによって前記インターアクトコントロールデータの所在位置とタイミングを取得し、且つキャッチコントロールシグナルを生成するタイミングキャッチコントロールユニットと、前記ビジョンシグナルバッファーユニットと前記タイミングキャッチコントロールユニットに接続され、前記キャッチコントロールシグナルに従って前記ビジョンシグナルにおけるインターアクトコントロールデータをキャッチするデータキャッチコントロールユニットと、前記データキャッチコントロールユニットに接続され、インターアクトコントロールデータを一時記憶するデータバッファーコントロールユニットと、前記データバッファーコントロールユニットに接続され、インターアクトデータに対しチェック及びエンコーディングし、且つ逐一的にインターアクト装置に送信し、対応しあうインターアクト反応を引き起こすデータ伝送コントロールユニットとを少なくとも有する。
【０００９】
本発明の達成しようとする目的と採用する技術手段とその効果を更に詳細に説明するために、以下に添付図面を参照しながら本発明の好適な実施の形態を詳細で具体的に説明するが、それらの説明による具体的な構成は単に本発明の実施可能な優れた実施例に過ぎず、本発明の主張範囲を狭義的に定義するものではないことが言うまでもない。
【００１０】
【発明の実施の形態】
図１に示すのは本発明のビジョンシグナルにインターアクトコントロールデータを加入する場合のアプリケーションブロック図であり、一般のビジョンディスプレイメディア１（例えばテレビ）の受信するビジョンシグナル１００がすべてアナログシグナル（例えばケーブルテレビやコードレステレビ２の放送するビジョンシグナルなど）であり、また、一般のビジョン再生メディア（例えばケーブルテレビやコードレステレビ２やビデオ再生装置３やイメージ音声光ディスク装置４など）がその内容を一般のビジョンディスプレイメディア１にディスプレイするために、そのビジョンシグナル１００もアナログシグナルを採用する。前記のビジョンシグナル１００には一秒間に２５個または３０個のイメージ画面を有し、それぞれのイメージ画面がすべて一つのイメージスキャンフレーム１０と見なされることができ、イメージスキャンフレーム１０は一般のビジョンディスプレイメディア１においてイメージディスプレイエリア１１をディスプレイできるほか、他の部分のエリアがイメージディスプレイエリア１１をオーバーするエリアであり、例えば、それぞれのイメージスキャンフレーム１０の先方の８本のイメージスキャンコラム（前段ブロック）１２またはそれぞれのイメージスキャンフレーム１０の後方の８本のイメージスキャンコラム（後段ブロック）１３などはそれである。本発明はそれらのイメージディスプレイエリア１０をオーバーする前後段ブロック１２，１３を利用してインターアクトコントロールデータ２００を記憶するものであり、そのため、ビジョンシグナル１００が一般のビジョンディスプレイメディア１でのディスプレイ機能を影響することはない。図２に示すのは本発明のビジョンシグナルにインターアクトコントロールデータを加入するシステムを示すブロック図であり、本発明のビジョンシグナルにインターアクトコントロールデータを加入するコントロール装置は主に複数セットのインターアクトコントロールデータ２００を一般のビジョンシグナル１００に加入するものであり、前記コントロール装置は主に、ビジョンシグナルコンバータ２１とビジョンシグナルデータベース２２とインターアクトコントロールデータベース２３とアナログビジョンコンバータ２５とビジョンコンプレスユニット２６とからなり、そのうち、ビジョンシグナルコンバータ２１がビジョンシグナルソース１０１に接続され、ビジョンシグナルソース１０１としてビジョン再生メディア、例えばケーブルテレビやコードレステレビ２やビデオ再生装置３やイメージ音声光ディスク装置（ＶＣＤ，ＤＶＤプレイヤー）４などを適用できる。
【００１１】
ビジョンシグナルコンバータ２１が主にビジョンシグナルソース１０１の入力するアナログビジョンシグナルをデジタルビジョンシグナルに転換し、また、ビジョンシグナルデータベース２２に送信し、それにしても、ビジョンシグナルソース１０１の入力するビジョンシグナルがデジタルシグナルである場合、直接的に当該デジタルビジョンシグナルをビジョンシグナルデータベース２２に送信する。また、ビジョンシグナルデータベース２２がビジョンシグナルコンバータ２１に接続され、前記デジタルビジョンシグナルを記憶し、ビジョンシグナル処理ユニット２４にインターアクトコントロールデータ２００をビジョンシグナルに加入させるように処理させる。そのうち、インターアクトコントロールデータベース２３には複数セットのインターアクトコントロールデータ２００が記憶され、それらのインターアクトコントロールデータ２００は専門人員がビジョンの内容に従って演繹編成するものである。
【００１２】
また、ビジョンシグナル処理ユニット２４がビジョンシグナルデータベース２２とインターアクトコントロールデータベース２３に接続され、前記ビジョンシグナルにおけるインターアクトコントロールデータ２００を加入しようとする位置をサーチする使途に用いられ、また、インターアクトコントロールデータ２００をイメージディスプレイエリア１１を越える前後段ブロック１２，１３に加え、インターアクトコントロールデータ２００を混在しているビジョンシグナル１００を生成する。
【００１３】
また、アナログビジョンシグナルコンバータ２５がビジョンシグナル処理イニット２４に接続され、主にビジョンシグナル処理ユニット２５の完成したインターアクトコントロールデータ２００を備えるデジタルビジョンシグナルをアナログビジョンシグナルに転換し、また、ビジョンディスプレイメディア１（例えばテレビ）に送信し、ビジョンシグナル１００を再生する。
【００１４】
そのうち、ビジョンシグナルコンプレスユニット２６がビジョンシグナル処理ユニット２４に接続され、主にビジョンシグナル処理ユニット２４の完成したインターアクトコントロールデータ２００を有するデジタルシグナルをイメージコンプレステクニック（例えばＭＰＥＧなど）によってコンプレスしてからビジョンレコーディングメディア１０２（例えばビデオテープやＶＣＤやＤＶＤなどの光ディスクなど）にレコーディングする。
【００１５】
図３に示すのは本発明のビジョンシグナルにインターアクトコントロールデータを加入する方法を示すフローチャートである。前記の本発明のコントロール装置の構成から分かるように、本発明によるビジョンシグナルにインターアクトコントロールデータを結合する方法は、まずビジョンシグナルソースより前記ビジョンシグナルを読み取り（ステップ３１）、それから当該ビジョンシグナルがデジタルシグナルであるかを判別し、否定である場合に当該ビジョンシグナルをデジタル化し（ステップ３２）、また、前記ビジョンシグナルにおけるインターアクトコントロールデータを加入しようとする位置をサーチし（ステップ３３）、前記ビジョンシグナルにおけるイメージディスプレイエリアよりオーバーする前後段ブロックを探し出し（ステップ３４）、最後に前記インターアクトコントロールデータを前記イメージディスプレイエリアよりオーバーする前後段ブロックに加入する（ステップ３５）。もちろん、インターアクトコントロールデータを加入したビジョンシグナルをアナログビジョンシグナルに転換してもよい。それによってシグナルを一般のアナログシグナルタイプのビジョンディスプレイメディアへ送信して再生でき、またはイメージコンプレステクニック例えばＭＰＥＧなどによってコンプレスしてからビジョンシグナルレコーディングメディアにレコーディングする（ステップ３６）。
【００１６】
図４は本発明のビジョンシグナルよりインターアクトコントロールデータをキャッチするシステムを示すブロック図であり、本発明のインターアクトコントロールデータキャッチ装置には主に、ビジョンシグナルバッファーユニット４１とビジョンシグナル同期解析ユニット４２とタイミングキャッチコントロールユニット４３とデータキャッチコントロールユニット４４とシリアル／パラレルコンバータ４５とデータバッファーコントロールユニット４６とデータ伝送コントロールユニット４７とを少なくとも有する。
【００１７】
そのうち、ビジョンシグナルバッファーユニット４１にはビジョンシグナルソース１０１が接続され、主にビジョンシグナル１００の入力の抵抗合せに用いられ、ビジョンシグナル１００の入力を受ける後に、後続きのビジョンシグナル同期解析ユニット４２とデータキャッチコントロールユニット４４などを作動させる。ビジョンシグナルソース１０１が同じようにビジョン再生メディアを適用でき、また、ビジョンシグナルバッファーユニット４１にもビジョンディスプレイメディア１を接続でき、ビジョンシグナル１００を直接的にディスプレイする。
【００１８】
そのうち、ビジョンシグナル同期解析ユニット４２がビジョンシグナルバッファーユニット４１に接続され、主にビジョンシグナル１００におけるイメージ同期シグナルとタイミングシグナルとを解析し出すものであり、ビジョンシグナル同期解析ユニット４２の解析したイメージ同期シグナルがビジョンシグナル１００におけるそれぞれのイメージ画面のイメージスキャンフレーム同期シグナルとそれぞれのイメージスキャンフレームにおけるイメージスキャンコラムの同期シグナルである。
【００１９】
そのうち、タイミングキャッチコントロールユニット４３がビジョンシグナル同期解析ユニット４２に接続され、主にビジョンシグナル同期解析ユニット４２における解析しえた前記イメージ同期シグナルを計算し、それによってインターアクトコントロールデータ２００の所在位置とタイミングを取得し、且つ対応しあうキャッチコントロールシグナル４００を生成し、それによってデータキャッチコントロールユニット４４に対しビジョンシグナル１００におけるインターアクトコントロールデータ２００をキャッチするように指示する。
【００２０】
また、データキャッチコントロールユニット４４がビジョンシグナルバッファーユニット４１とタイミングキャッチコントロールユニット４３に接続され、主に、キャッチコントロールシグナル４００に従ってビジョンシグナル１００におけるインターアクトコントロールデータ２００をキャッチすると共に、デジタルシグナルに転換する。
【００２１】
また、シリアル／パラレルコンバータ４５がデータキャッチコントロールユニット４４とデータバッファーコントロールユニット４６との間に接続され、元はシリアルビットストリーム（Ｓｅｒｉａｌ  Ｂｉｔ  Ｓｔｒｅａｍ）であるインターアクトコントロールデータ２００をパラレルデータストリーム（Ｐａｒａｌｌｅｌ  Ｄａｔａ  Ｓｔｒｅａｍ）に転換し、それによって低速度で安いデータバッファーユニット４６とデータ伝送コントロールユニット４７によって情報を受信、処理及び伝送する。
【００２２】
そのうち、データバッファーコントロールユニット４６がシリアル／パラレルコンバータ４５に接続するか、または直接的にデータキャッチコントロールユニット４４に接続され、主にビジョンシグナル１００における表示不能のエリア内に隠される特定な位置よりキャッチされるインターアクトコントロールデータ２００を先に一時保存し、データ伝送コントロールユニット４７の処理を待機する。
【００２３】
また、データ伝送コントロールユニット４７がデータバッファーコントロールユニット４６に接続され、主にインターアクトコントロールデータ２００に対しチャック及びエンコデーィングをし、且つ逐一的にケーブルやコードレスの方式によってインターアクト装置４８に送信し、それを起動してビジョンシグナルディスプレイメディア１にディスプレイされる画面と対応しあうようにインターアクト作動する。
【００２４】
図５に示すのは本発明のビジョンシグナルよりインターアクトコントロールデータをキャッチする方法を示すフローチャートであり、前記に述べたキャッチ装置から分かるように、本発明のインターアクトコントロールデータキャッチ方法は主に、まずビジョンシグナルソースよりインターアクトコントロールデータを有するビジョンシグナルを読み取り（ステップ５１）、且つ直接的に当該ビジョンシグナルをビジョンディスプレイメディアに出力し、それから当該ビジョンシグナルにおけるイメージディスプレイエリアよりオーバーする前後段ブロック内のインターアクトコントロールデータの所在位置を解析し出し（ステップ５２）、且つインターアクトコントロールデータをキャッチし（ステップ５３）、それかた元がシリアルビットストリームである前記インターアクトコントロールデータをパラレルデータストリームに転換し（ステップ５４）、且つそれを一時保存し（ステップ５５）、最後に当該インターアクトコントロールデータに対しチェック及びエンコーディングし、かつインターアクト装置に送信し（ステップ５６）、それを起動して対応しあうインターアクト反応を引き起こさせる。
【図面の簡単な説明】
【図１】本発明のビジョンシグナルにインターアクトコントロールデータを結合する方法と装置を示すアプリケーションブロック図である。
【図２】本発明のビジョンシグナルにインターアクトコントロールデータを結合する方法と装置を示すシステムブロック図である。
【図３】本発明のビジョンシグナルにインターアクトコントロールデータを結合する方法を示すフローチャートである。
【図４】本発明のビジョンシグナルよりインターアクトコントロールシグナルをキャッチする装置を示すシステムブロック図である。
【図５】本発明のビジョンシグナルよりインターアクトコントロールシグナルをキャッチする方法を示すフローチャートである。
【符号の説明】
１      ビジョン再生メディア
２      ケーブルテレビやコードレステレビ
３      ビデオ再生装置
４      イメージ音声光ディスク装置
１０    イメージスキャンフレーム
１１    イメージディスプレイエリア
１２    前段ブロック
１３    後段ブロック
２１    ビジョンシグナルコンバータ
２２    ビジョンシグナルデータベース
２３    インターアクトコントロールデータベース
２４    ビジョンシグナル処理ユニット
２５    アナログビジョンシグナルコンバータ
２６    ビジョンシグナルコンプレスユニット
４１    ビジョンシグナルバッファーユニット
４２    ビジョンシグナル同期解析ユニット
４３    タイミングキャッチコントロールユニット
４４    データキャッチコントロールユニット
４５    シリアル／パラレルコンバータ
４６    データバッファーコントロールユニット
４７    データ伝送コントロールユニット
１００  ビジョンシグナル
１０１  ビジョンシグナルソース
１０２  ビジョンシグナルレコーディングメディア
２００  インターアクトコントロールデータ
４００  キャッチコントロールシグナル
【図１】
2004282423.tif 000003
【図２】
2004282423.tif 000004
【図３】
2004282423.tif 000005
【図４】
2004282423.tif 000006
【図５】
2004282423.tif 000007